(57)【要約】【課題】サンプルガス中の窒素酸化物等の排出量を従来よりも正確に算出できるようにする。【解決手段】サンプルガス中のＮＯｘ排出量を算出するガス分析装置であって、サンプルガス中のＮＯｘ濃度を計測するＮＯｘ計２と、サンプルガス中のＮＯ濃度を計測するＮＯ計３と、ＮＯｘ計２により計測されたＮＯｘ濃度及びＮＯ計３により計測されたＮＯ濃度に基づいて、サンプルガス中のＮＯｘの密度又は分子量を算出し、その密度又は分子量とＮＯｘ濃度とを用いてＮＯｘ排出量を算出する演算部４４とを具備するようにした。【選択図】図２
2020106364.tif 000002
【特許請求の範囲】
【請求項１】
サンプルガス中のＮＯｘ排出量を算出するガス分析装置であって、
前記サンプルガス中のＮＯｘ濃度を計測するＮＯｘ計と、
前記サンプルガス中のＮＯ濃度を計測するＮＯ計と、
前記ＮＯｘ計により計測されたＮＯｘ濃度及び前記ＮＯ計により計測されたＮＯ濃度に基づいて、前記サンプルガス中のＮＯｘの密度又は分子量を算出し、その密度又は分子量と前記ＮＯｘ濃度とを用いてＮＯｘ排出量を算出する演算部とを具備する、ガス分析装置。
【請求項２】
前記演算部が、前記ＮＯｘ濃度及び前記ＮＯ濃度に基づいて、排ガス中のＮＯ２濃度を算出し、前記ＮＯ２濃度及び前記ＮＯ濃度の比率を用いてＮＯｘの密度又は分子量を算出する、請求項１記載のガス分析措置。
【請求項３】
前記演算部が、下記の式（１）を用いてＮＯ２濃度を算出する、請求項２記載のガス分析装置。
ＮＯ２濃度＝（ＮＯｘ濃度−ＮＯ濃度）／ＮＯｘコンバータ効率・・・（１）
【請求項４】
前記演算部が、前記ＮＯｘ濃度及び前記ＮＯ濃度それぞれを前記ＮＯｘ計及び前記ＮＯ計から逐次取得して、ＮＯｘの密度又は分子量を算出する、請求項１乃至３のうち何れか一項に記載のガス分析装置。
【請求項５】
前記ＮＯｘ計及び前記ＮＯ計が、ＣＬＤ式（化学発光式）のものである、請求項１乃至４のうち何れか一項に記載のガス分析装置。
【請求項６】
前記サンプルガスの流量を計測するガス流量計をさらに具備し、
前記演算部は、前記サンプル排ガス中のＮＯｘの密度又は分子量と、前記ＮＯｘ濃度と、前記サンプルガスの流量とを用いて前記ＮＯｘ排出量を算出する、請求項１乃至５のうち何れか一項に記載のガス分析装置。
【請求項７】
車両又はその一部に搭載され、当該車両又はその一部から排出される排ガスを分析する車載型の排ガス分析装置である、請求項１乃至６のうち何れか一項に記載のガス分析装置。
【請求項８】
サンプルガス中のＮＯｘ排出量を算出するガス分析装置に用いられるプログラムであって、
ＮＯｘ計により計測された前記サンプルガス中のＮＯｘ濃度、及び、ＮＯ計により計測された前記サンプルガス中のＮＯ濃度に基づいて、排ガス中のＮＯｘの密度又は分子量を算出し、その密度又は分子量と前記ＮＯｘ濃度とを用いてＮＯｘ排出量を算出する演算部としての機能をコンピュータに発揮させる、排ガス分析用プログラム。
【請求項９】
サンプルガス中のＮＯｘ排出量を算出するガス分析方法であって、
ＮＯｘ計により計測された前記サンプルガス中のＮＯｘ濃度、及び、ＮＯ計により計測された前記サンプルガス中のＮＯ濃度に基づいて、排ガス中のＮＯｘの密度又は分子量を算出し、その密度又は分子量と前記ＮＯｘ濃度とを用いてＮＯｘ排出量を算出する、排ガス分析方法。
【請求項１０】
サンプルガス中の複数成分の排出量を算出するガス分析装置であって、
前記サンプルガス中の前記複数成分に含まれる第１成分の濃度を計測する第１濃度計と、
前記サンプルガス中の前記複数成分の濃度を計測する第２濃度計と、
前記第１濃度計により計測された第１成分濃度及び前記第２濃度計により計測された複数成分濃度に基づいて、前記サンプルガス中の前記複数成分の密度又は分子量を算出し、その密度又は分子量と前記複数成分濃度とを用いて前記複数成分の排出量を算出する演算部とを具備する、ガス分析装置。
【発明の詳細な説明】
【技術分野】
【０００１】
本発明は、サンプルガスを分析するガス分析装置等に関するものである。
【背景技術】
【０００２】
例えば、車両から排出される排ガス等のサンプルガスに含まれる窒素酸化物（以下、ＮＯｘともいう）を計測する場合、ＮＯｘ計により計測された排ガス中のＮＯｘ濃度に、ＮＯｘの密度や分子量と、排ガス流量とを掛け合わせることで、ＮＯｘ排出量（Ｍａｓｓ）を算出することがある。
【０００３】
ここで、ＮＯｘの密度としては、特許文献１に示すように、ＮＯ２の密度が用いられることが一般的である。
【０００４】
しかしながら、ＮＯｘはＮＯとＮＯ２との混合物であり、ＮＯｘの密度としてＮＯ２の密度を用いると、算出されたＮＯｘ排出量は、実際のＮＯｘ排出量よりも多くなり、算出値と真値との間に差が生じてしまう。
【０００５】
さらに、近年では、ＮＯ計により計測されたＮＯ濃度を用いてＮＯ排出量を算出し、上述したＮＯｘ排出量からＮＯ排出量を差し引くことで、ＮＯ２排出量を算出する場合もあり、このような場合にはＮＯｘ排出量の算出値と真値と間に差がある以上、ＮＯ２排出量の算出値も真値からずれてしまう。
【０００６】
かかる問題は、ＮＯｘ排出量に限らず、例えばＳＯｘやＴＨＣ（全炭化水素）など、排ガスに含まれる複数成分の排出量を算出する場合等においても同様に生じ得る。
【先行技術文献】
【特許文献】
【０００７】
【特許文献１】特開２０００−８８７１１号公報
【発明の概要】
【発明が解決しようとする課題】
【０００８】
そこで、本発明は、上述した問題を解決すべくなされたものであり、サンプルガス中の窒素酸化物等の排出量を従来よりも正確に算出できるようにすることをその主たる課題とするものである。
【課題を解決するための手段】
【０００９】
すなわち本発明に係るガス分析装置は、サンプルガス中のＮＯｘ排出量を算出するガス分析装置であって、前記サンプルガス中のＮＯｘ濃度を計測するＮＯｘ計と、前記サンプルガス中のＮＯ濃度を計測するＮＯ計と、前記ＮＯｘ計により計測されたＮＯｘ濃度及び前記ＮＯ計により計測されたＮＯ濃度に基づいて、前記サンプルガス中のＮＯｘの密度又は分子量を算出し、その密度又は分子量と前記ＮＯｘ濃度とを用いてＮＯｘ排出量を算出する演算部とを具備することを特徴とするものである。
【００１０】
このように構成されたガス分析装置によれば、ＮＯｘ濃度及びＮＯ濃度に基づいてＮＯｘの密度又は分子量を算出し、その密度又は分子量を用いてＮＯｘ排出量を算出するので、ＮＯｘの密度又は分子量としてＮＯ２の密度又は分子量を用いる場合に比べて、ＮＯｘ排出量をより正確に算出することができる。
【００１１】
前記演算部が、前記ＮＯｘ濃度及び前記ＮＯ濃度に基づいて、排ガス中のＮＯ２濃度を算出し、前記ＮＯ２濃度及び前記ＮＯ濃度の比率を用いてＮＯｘの密度又は分子量を算出することが好ましい。
これならば、ＮＯ２濃度及びＮＯ濃度の比率を用いているので、ＮＯｘに含まれるＮＯ２及びＮＯの比率を加味したＮＯｘの尤もらしい密度又は分子量を算出することができる。
【００１２】
ＮＯｘ計において、ＮＯ２がＮＯに還元されて計測される場合、前記演算部が、下記の式１を用いてＮＯ２濃度を算出することが好ましい。
式１：ＮＯ２濃度＝（ＮＯｘ濃度−ＮＯ濃度）／ＮＯｘコンバータ効率
これならば、ＮＯ２からＮＯへの還元効率を示すＮＯｘコンバータ効率を用いているので、ＮＯ２濃度をより正確に算出することができ、ひいてはＮＯｘの密度や分子量やＮＯｘ排出量をより正確に算出することができる。
【００１３】
前記演算部が、前記ＮＯｘ濃度及び前記ＮＯ濃度それぞれを前記ＮＯｘ計及び前記ＮＯ計から逐次取得して、ＮＯｘの密度又は分子量を算出することが好ましい。
このような構成であれば、ＮＯｘ排出量をリアルタイムに計測することができる。
【００１４】
前記ＮＯｘ計及び前記ＮＯ計の具体的な態様としては、ＣＬＤ式（化学発光式）のものが挙げられる。
これならば、ＮＯｘ濃度やＮＯ濃度の連続計測が可能である。
【００１５】
ＮＯｘ排出量をより正確に算出するためには、前記サンプルガスの流量を計測するガス流量計をさらに具備し、前記演算部は、前記サンプル排ガス中のＮＯｘの密度又は分子量と、前記ＮＯｘ濃度と、前記サンプルガスの流量とを用いて前記ＮＯｘ排出量を算出することが好ましい。
【００１６】
本発明に係るガス分析装置の一実施態様としては、車両又はその一部に搭載され、当該車両又はその一部から排出される排ガスを分析する車載型の排ガス分析装置であることが挙げられる。
【００１７】
また、本発明に係るガス分析用プログラムは、サンプルガス中のＮＯｘ排出量を算出するためのプログラムであって、ＮＯｘ計により計測された前記サンプルガス中のＮＯｘ濃度、及び、ＮＯ計により計測された前記サンプルガス中のＮＯ濃度に基づいて、排ガス中のＮＯｘの密度又は分子量を算出し、その密度又は分子量と前記ＮＯｘ濃度とを用いてＮＯｘ排出量を算出する演算部としての機能をコンピュータに発揮させることを特徴とするものである。
【００１８】
さらに、本発明に係るガス分析方法は、サンプルガス中のＮＯｘ排出量を算出するガス分析方法であって、ＮＯｘ計により計測された前記サンプルガス中のＮＯｘ濃度、及び、ＮＯ計により計測された前記サンプルガス中のＮＯ濃度に基づいて、排ガス中のＮＯｘの密度又は分子量を算出し、その密度又は分子量と前記ＮＯｘ濃度とを用いてＮＯｘ排出量を算出することを特徴とする方法である。
【００１９】
このようなガス分析用プログラム及びガス分析方法によれば、上述したガス分析装置と同様の作用効果を発揮させることができる。
【００２０】
また、サンプルガス中の複数成分の排出量を算出するガス分析装置であって、前記サンプルガス中の前記複数成分に含まれる第１成分の濃度を計測する第１濃度計と、前記サンプルガス中の前記複数成分の濃度を計測する第２濃度計と、前記第１濃度計により計測された第１成分濃度及び前記第２濃度計により計測された複数成分濃度に基づいて、前記サンプルガス中の前記複数成分の密度又は分子量を算出し、その密度又は分子量と前記複数成分濃度とを用いて前記複数成分の排出量を算出する演算部とを具備するガス分析装置も、本発明の１つである。
【発明の効果】
【００２１】
このように構成した本発明によれば、サンプルガス中の窒素酸化物等の排出量を従来よりも正確に算出することができる。
【図面の簡単な説明】
【００２２】
【図１】本実施形態の排ガス分析装置の使用例を示す模式図。
【図２】本実施形態の演算処理装置の機能を示す機能ブロック図。
【図３】本実施形態の演算部の動作を説明するためのフローチャート。
【図４】本実施形態のＮＯｘ計及びＮＯ計の応答遅れ時間について説明するための図。
【発明を実施するための形態】
【００２３】
以下に本発明に係るガス分析装置の一実施形態について図面を参照して説明する。
【００２４】
本実施形態のガス分析装置１００は、車両又はその一部から排出される排ガス等のサンプルガスを分析するものであり、ここでは図１に示すように、車両ＶＨに搭載される車載型排ガス分析装置である。なお、ガス分析装置１００としては、必ずしも車載型のものに限らず、試験室等で用いられる据え置き型のものであっても良い。
【００２５】
この排ガス分析装置１００は、図１及び図２に示すように、排ガスの流量を計測する排ガス流量計１と、排ガス中の窒素酸化物（以下、ＮＯｘともいう）の濃度を計測するＮＯｘ計２と、排ガス中の一酸化窒素（以下、ＮＯともいう）の濃度を計測するＮＯ計３と、少なくともＮＯｘ排出量を演算する演算処理装置４とを備えたものである。
【００２６】
排ガス流量計１は、車両の排気管（テールパイプ）から排出される排ガスの流量を連続的に計測可能なものであり、例えば車両に搭載されるピトー管式流用計である。
【００２７】
ＮＯｘ計２は、ＮＯｘ濃度の連続計測が可能なものであり、ＣＬＤ式（化学発光式）のものである。このＮＯｘ計２は、ＮＯｘに含まれるＮＯ２をＮＯに還元したあと、ＮＯｘにもともと含まれるＮＯと、ＮＯ２が還元されたＮＯとにオゾンを混合し、その際に生成される励起二酸化窒素が基底状態に戻るときに発する光の強度を検出することにより、ＮＯｘ濃度を計測するものである。
なお、このＮＯｘ計２は、排ガスを通過させてＮＯ２をＮＯに還元するためのＮＯｘコンバータと称されるコンバータ触媒を有しており、このＮＯｘコンバータにおける変換効率（ＮＯ２がＮＯに還元される割合）をＮＯｘコンバータ効率という。
【００２８】
ＮＯ計３は、ＮＯ濃度の連続計測が可能なものであり、ＣＬＤ式（化学発光式）のものである。このＮＯ計３は、ＮＯｘに含まれるＮＯにオゾンを混合し、その際に生成される励起二酸化窒素が基底状態に戻るときに発する光の強度を検出することにより、ＮＯ濃度を計測するものである。
【００２９】
演算処理装置４は、ＣＰＵ、メモリ、入出力インターフェース等を備えた専用乃至汎用のコンピュータであり、前記メモリに格納されている排ガス分析用プログラムに従って、ＣＰＵやその他の周辺機器を協働させることにより、図２に示すように、排ガス流量受付部４１、ＮＯｘ濃度受付部４２、ＮＯ濃度受付部４３、及び演算部４４としての機能を備えるものである。
【００３０】
排ガス流量受付部４１は、排ガス流量計１により計測された排ガス流量を受け付けるものであり、ここでは計測された排ガス流量を逐次受け付けるように構成されている。
【００３１】
ＮＯｘ濃度受付部４２は、ＮＯｘ計２により計測されたＮＯｘ濃度を受け付けるものであり、ここでは計測されたＮＯｘ濃度を逐次受け付けるように構成されている。
【００３２】
ＮＯ濃度受付部４３は、ＮＯ計３により計測されたＮＯ濃度を受け付けるものであり、ここでは計測されたＮＯ濃度を逐次受け付けるように構成されている。
【００３３】
演算部４４は、ＮＯｘ排出量を算出するものであり、ここではＮＯｘ濃度受付部４２が受け付けたＮＯｘ濃度、及び、ＮＯ濃度受付部４３が受け付けたＮＯ濃度を取得して、排ガス中のＮＯｘの密度を算出し、そのＮＯｘ密度とＮＯｘ濃度とを用いてＮＯｘ排出量を算出するものである。
【００３４】
本実施形態の演算部４４は、ＮＯｘ濃度及びＮＯ濃度を逐次取得して、ＮＯｘ密度の瞬時値を算出し、これによりＮＯｘ排出量の瞬時値を逐次算出するように構成されている。
以下、演算部４４の具体的な動作を図３のフローチャートを参照しながら説明する。
【００３５】
まず、演算部４４は、ＮＯｘ濃度受付部４２が受け付けたＮＯｘ濃度、及び、ＮＯ濃度受付部４３が受け付けたＮＯ濃度を受け付ける（Ｓ１）。
【００３６】
次に、演算部４４は、受け付けたＮＯｘ濃度及びＮＯ濃度に基づいて、排ガス中のＮＯ２濃度を算出する（Ｓ２）。
具体的に演算部４４は、ＮＯｘ濃度からＮＯ濃度を差し引くように構成されており、ここでは下記の式（１）を用いてＮＯ２濃度を算出する。
ＮＯ２濃度＝（ＮＯｘ濃度−ＮＯ濃度）／ＮＯｘコンバータ効率・・・（１）
なお、ＮＯｘコンバータ効率は、上述したように、ＮＯｘコンバータにおいてＮＯ２をＮＯに変換する変換効率である。
【００３７】
続いて、演算部４４は、算出したＮＯ２濃度から、まずＮＯｘ密度を算出する（Ｓ３）。
本実施形態では、演算部４４が、ＮＯ２濃度及びＮＯ濃度の比率を用いてＮＯｘ密度を算出するように構成されており、ここでは下記の式（２）を用いてＮＯｘ密度を算出する。
ＮＯｘ密度＝ＮＯ密度・ＮＯ濃度／（ＮＯ濃度＋ＮＯ２濃度）＋
ＮＯ２密度・ＮＯ２濃度／（ＮＯ濃度＋ＮＯ２濃度）・・・（２）
【００３８】
ここで、図４（ａ）に示すように、ＮＯｘ計２の応答遅れ時間とＮＯ計３の応答遅れ時間とが実質的に同じ場合は、各時点におけるＮＯｘ濃度は必ずＮＯ濃度以上であるから、ＮＯｘ濃度からＮＯ濃度を差し引いた値は負になることなく、ＮＯ２濃度の瞬時値は常に０以上の値となる。従って、この場合に上記の式（２）により算出されるＮＯｘ密度の瞬時値は、ＮＯ２密度以下、ＮＯ密度以上となる。
【００３９】
一方、図４（ｂ）に示すように、ＮＯｘ計２の応答遅れ時間とＮＯ計３の応答遅れ時間とに差が生じている場合、ＮＯｘ濃度からＮＯ濃度を差し引いたＮＯ２濃度が負の値となる場合がある。しかし、ＮＯ２濃度が負の領域では、ＮＯ濃度の絶対値はＮＯ２濃度の絶対値以上となるので、上記の式（２）により算出されるＮＯｘ密度は０以上の値となる。
【００４０】
そして、演算部４４は、少なくとも上述したＮＯｘ密度及びＮＯｘ濃度受付部４２が受け付けたＮＯｘ濃度を受け付けて、ＮＯｘ排出量を算出する（Ｓ４）
なお、ここでいうＮＯｘ排出量とは、サンプルガスである排ガスの単位体積に含まれるＮＯｘ排出量であっても良いし、サンプルガスである排ガスとして排出されるＮＯｘ排出量の瞬時値であっても良い。
【００４１】
サンプルガスの単位体積当たりのＮＯｘ排出量を算出する場合、演算部４４としては、下記の式（３）に示すように、ＮＯｘ密度及びＮＯｘ濃度を掛け合わせて、単位体積当たりのＮＯｘ排出量を算出する構成が挙げられる。
ＮＯｘ排出量＝ＮＯｘ密度×ＮＯｘ濃度・・・（３）
【００４２】
また、演算部４４は、下記の式（４）に示すように、ＮＯｘ密度、ＮＯｘ濃度、及び排ガス流量受付部４１が受け付けた排ガス流量を掛け合わせて、排ガス流量に対応したＮＯｘ排出量の瞬時値を算出することができる。この瞬時値を積算することでＮＯｘの総排出量を算出しても良い。
ＮＯｘ排出量＝ＮＯｘ密度×ＮＯｘ濃度×排ガス流量・・・（４）
【００４３】
また、演算部４４は、ＮＯ排出量の瞬時値及びＮＯ２排出量の瞬時値を算出するように構成されていても良い（Ｓ５）。ただし、演算部４４は、必ずしもＮＯ排出量やＮＯ２排出量を算出する必要はない。
【００４４】
具体的に演算部４４は、ＮＯ密度及びＮＯ濃度受付部４３が受け付けたＮＯ濃度を掛け合わせて単位体積当たりのＮＯ排出量を算出しても良いし、ＮＯ密度、ＮＯ濃度、及び排ガス流量受付部４１が受け付けた排ガス流量を掛け合わせてＮＯ排出量の瞬時値を算出しても良い。
【００４５】
また、演算部４４は、ＮＯ２密度にＳ２で算出したＮＯ２濃度を掛け合わせて単位体積当たりのＮＯ２排出量を算出しても良いし、ＮＯ２密度、ＮＯ２濃度、及び排ガス流量受付部４１が受け付けた排ガス流量を掛け合わせてＮＯ２排出量の瞬時値を算出しても良い。なお、ＮＯ２排出量の算出としては、Ｓ４において算出されたＮＯｘ排出量の瞬時値から、上述したように算出したＮＯ排出量の瞬時値を差し引くことで、ＮＯ２排出量の瞬時値を算出しても良い。
【００４６】
このように構成された排ガス分析装置１００によれば、ＮＯ２濃度及びＮＯ濃度の比率に基づいてＮＯｘ密度を算出し、そのＮＯｘ密度にＮＯｘ濃度及び排ガス流量を掛け合わせてＮＯｘ排出量を算出するので、ＮＯｘ密度としてＮＯ２密度を用いた場合に比べて、ＮＯｘ排出量をより正確に算出することができる。
【００４７】
また、本実施形態の排ガス分析装置１００によれば、ＮＯｘ密度、ＮＯｘ排出量、ＮＯ２排出量それぞれの瞬時値を負にすることなく連続的に算出することができる。
【００４８】
なお、本発明は前記実施形態に限られるものではない。
【００４９】
例えば、前記実施形態では、ＮＯｘ濃度及びＮＯ濃度からＮＯｘ密度を算出していたが、ＮＯｘ濃度及びＮＯ濃度からＮＯｘの分子量を算出しても良い。
具体的な算出式としては例えば下記の式（５）が挙げられる。
ＮＯｘ分子量＝ＮＯ分子量・ＮＯ濃度／（ＮＯ濃度＋ＮＯ２濃度）＋
ＮＯ２分子量・ＮＯ２濃度／（ＮＯ濃度＋ＮＯ２濃度）・・・（５）
【００５０】
この場合、演算部４４は、算出されたＮＯｘ分子量及びＮＯｘ濃度受付部４２が受け付けたＮＯｘ濃度を用いてＮＯｘ排出量を算出することができる。
具体的に説明すると、単位体積当たりのＮＯｘ排出量を算出する場合、演算部４４は、下記の式（６）のように、ＮＯｘ分子量及びＮＯｘ濃度を掛け合わせて単位体積当たりのＮＯｘ排出量を算出するように構成されていても良い。
ＮＯｘ排出量＝ＮＯｘ分子量×ＮＯｘ濃度／（２２．４×α）・・・（６）
【００５１】
また、ＮＯｘ排出量の瞬時値を算出する場合、下記の式（７）のように、ＮＯｘ分子量、ＮＯｘ濃度、及び排ガス流量を掛け合わせてＮＯｘ排出量の瞬時値を算出する方法が挙げられる。
ＮＯｘ排出量＝ＮＯｘ分子量×ＮＯｘ濃度×排ガス流量／（２２．４×α）・・・（７）
【００５２】
なお、式（６）、（７）において、２２．４は、標準状態での気体１ｍｏｌの体積であり、αは、排ガスの温度や圧力をパラメータとして算出される補正係数であるが、この補正係数αは必ずしも用いる必要はない。
【００５３】
ＮＯｘ密度を算出する態様としては、演算部４４は、ＮＯ濃度及びＮＯ密度を用いてＮＯ排出量を算出するとともに、ＮＯ２濃度及びＮＯ２密度を用いてＮＯ２排出量を算出し、これらのＮＯ排出量及びＮＯ２排出量を合算したＮＯｘ排出量をＮＯｘ濃度で割ることでＮＯｘ密度を算出するように構成されていても良い。
【００５４】
また、前記実施形態の排ガス分析装置１００は、ＮＯｘ排出量を算出するために用いられていたが、例えばＳＯｘやＴＨＣ（全炭化水素）などのように複数の成分からなる複数成分の排出量を算出するために用いることもできる。
この場合の排ガス分析装置１００としては、サンプルガス中の前記複数成分に含まれる第１成分の濃度を計測する第１濃度計と、前記サンプルガス中の前記複数成分の濃度を計測する第２濃度計と、前記第１濃度計により計測された第１成分濃度及び前記第２濃度計により計測された複数成分濃度に基づいて、前記サンプルガス中の前記複数成分の密度又は分子量を算出し、その密度又は分子量と前記複数成分濃度とを用いて前記複数成分の排出量を算出する演算部４４とを具備するものが挙げられる。
【００５５】
さらに、本発明に係るガス分析装置１００は、サンプルガスとして車両又はその一部から排出される排ガスを分析するものに限らず、サンプルガスとして例えば飛行機や船舶からの排ガスや工場等からの排ガスなどを分析するものであっても良い。また、ガス分析装置１００は、大気をサンプルガスとして分析しても良いし、例えば触媒評価用のガス等の試験用ガスをサンプルガスとして分析しても良い。
【００５６】
その他、本発明は前記実施形態に限られず、その趣旨を逸脱しない範囲で種々の変形が可能であるのは言うまでもない。
【符号の説明】
【００５７】
１００・・・排ガス分析装置
１    ・・・排ガス流量計
２    ・・・ＮＯｘ計
３    ・・・ＮＯ計
４    ・・・演算処理装置
４１  ・・・排ガス流量受付部
４２  ・・・ＮＯｘ濃度受付部
４３  ・・・ＮＯ濃度受付部
４４  ・・・演算部
【図１】
2020106364.tif 000003
【図２】
2020106364.tif 000004
【図３】
2020106364.tif 000005
【図４】
2020106364.tif 000006